(57)【要約】本発明の植物加工システムは、糖液を含む植物を栽培する植物栽培設備（１）と、前記植物栽培設備（１）で伐採された前記植物を破砕する破砕設備（２）と、前記破砕設備（２）で得られる植物チップから樹液を採取する搾汁設備（３）と、前記樹液をメタン発酵処理するメタン発酵設備（５）と、前記メタン発酵設備（５）で得られた前記バイオガスを燃料として発電する発電設備（６）とを備える。
2015174520.tif 000002
【特許請求の範囲】
【請求項１】
糖液を含む植物を栽培する植物栽培設備と、
前記植物栽培設備で伐採された前記植物を破砕する破砕設備と、
前記破砕設備で得られる植物チップから樹液を採取する搾汁設備と、
前記樹液をメタン発酵処理するメタン発酵設備と、
前記メタン発酵設備で得られたバイオガスを燃料として発電する発電設備と
を備える植物加工システム。
【請求項２】
前記植物から所定の成果物を製造する成果物製造設備と、
前記成果物製造設備で発生する廃液をメタン発酵処理する第２のメタン発酵設備と
をさらに備える請求項１に記載の植物加工システム。
【請求項３】
前記第２のメタン発酵設備で発生する消化液を後処理すると共に特定の浮き草を栽培する浮き草栽培設備と、
前記浮き草栽培設備で栽培された浮き草から肥料成分を回収する肥料成分回収設備とをさらに備える請求項２に記載の植物加工システム。
【請求項４】
前記メタン発酵設備と前記第２のメタン発酵設備とを統合した１つの設備とする請求項２または３に記載の植物加工システム。
【請求項５】
前記搾汁設備で得られる前記植物チップの搾り滓を糖化処理する糖化設備をさらに具備し、
前記メタン発酵設備は、前記樹液に加えて、前記糖化設備で得られる糖化液をメタン発酵処理する請求項１〜４のいずれか一項に記載の植物加工システム。
【請求項６】
前記発電設備に代えてあるいは前記発電設備に加えて、前記メタン発酵設備で得られたバイオガスから液体燃料を生成する液体燃料化設備を備える請求項１〜５のいずれか一項に記載の植物加工システム。
【請求項７】
前記植物はオイルパームである請求項１〜６のいずれか一項に記載の植物加工システム。
【発明の詳細な説明】
【技術分野】
【０００１】
本発明は、植物加工システムに関する。
本願は、２０１４年５月１５日に、日本に出願された特願２０１４−１０１８４１号に基づき優先権を主張し、その内容をここに援用する。
【背景技術】
【０００２】
周知のように、パーム油はオイルパーム（oil palm、和名：アブラヤシ）の果実を加工することによって生産される植物油（成果物）である。このようなパーム油は、東南アジアが主産地であり、大規模農園であるプランテーションで製造されている。例えば下記特許文献１及び引用文献２には、上記オイルパームの幹（トランク）をバイオマス（生物由来の資源）として捉え、この幹（トランク）から採取した樹液（糖液）を原料としてアルコール発酵（エタノール発酵）させることによりバイオエタノール（液体燃料）を製造することが記載されている。
【先行技術文献】
【特許文献】
【０００３】
【特許文献１】日本国特許第４６６５２５７号公報
【特許文献２】日本国特許第４４１８８７１号公報
【発明の概要】
【発明が解決しようとする課題】
【０００４】
ところで、上記特許文献１や特許文献２の技術は、アルコール発酵（エタノール発酵）を中核とする技術であるが故に、バイオエタノール（液体燃料）の製造に要するエネルギーが比較的大きい。例えば、アルコール発酵の発酵効率を上げるため、またオイルパームの樹液（糖液）の腐敗防止のために、アルコール発酵の前工程で樹液（糖液）の濃縮処理を行う必要があり、この濃縮処理に多大なエネルギーを必要とする。また、アルコール発酵の後工程としてバイオエタノールを単体分離するための蒸留処理が必要であり、この蒸留処理にも多大なエネルギーを必要とする。さらに、蒸留処理によって分離された蒸留粕を飼料等として再利用する場合には、蒸留粕が多量の水を含んだ固液混合液なので、乾燥させるために多大なエネルギーを必要とする。【０００５】
一方、上記特許文献１や特許文献２の技術は、パーム幹をバイオマスとして再資源化しようとするものであるが、パーム油（成果物）の生産に伴って発生するバイオマスは、パーム幹（固体バイオマス）だけではなく、パーム油の製油工場で発生するパームオイル廃液（液体バイオマス）がある。このパームオイル廃液は、オイルパームの果実から阻パームオイル（ＣＰＯ：Crude Palm Oil）を搾った残渣を主成分（糖分等）とする排水（ＰＯＭＥ：Palm Oil Mill Effect）であり、バイオマスとして有効利用されていないのが現状である。【０００６】
本発明は、上述した事情に鑑みてなされたものであり、植物を加工することによって所望の成果物を生産する際のエネルギー収支を従来よりも改善することを目的とする。
【課題を解決するための手段】
【０００７】
本発明の植物加工システムに係る第１の態様は、糖液を含む植物を栽培する植物栽培設備と、前記植物栽培設備で伐採された前記植物を破砕する破砕設備と、前記破砕設備で得られる植物チップから樹液を採取する搾汁設備と、前記樹液をメタン発酵処理するメタン発酵設備と、前記メタン発酵設備で得られた前記バイオガスを燃料として発電する発電設備とを備える。【０００８】
本発明の植物加工システムに係る第２の態様は、上記第１の態様において、前記植物から所定の成果物を製造する成果物製造工場と、前記成果物製造工場で発生する廃液をメタン発酵処理する第２のメタン発酵設備とをさらに備える。【０００９】
本発明の植物加工システムに係る第３の態様は、上記第２の態様において、前記第２のメタン発酵設備で発生する消化液を後処理すると共に特定の浮き草を栽培する浮き草栽培設備と、前記浮き草栽培設備で栽培された浮き草から肥料成分を回収する肥料成分回収設備とをさらに備える。【００１０】
本発明の植物加工システムに係る第４の態様は、上記第２または第３の態様において、前記メタン発酵設備と前記第２のメタン発酵設備とを統合した１つの設備とする。【００１１】
本発明の植物加工システムに係る第５の態様は、上記第１〜第４のいずれかの態様において、前記搾汁設備で得られる前記植物チップの搾り滓を糖化処理する糖化設備をさらに具備し、前記メタン発酵設備は、前記樹液に加えて、前記糖化設備で得られる糖化液をメタン発酵処理する。【００１２】
本発明の植物加工システムに係る第６の態様は、上記第１〜第５のいずれかの態様において、前記発電設備に代えてあるいは前記発電設備に加えて、前記メタン発酵設備で得られたバイオガスから液体燃料を生成する液体燃料化設備を備える。【００１３】
本発明の植物加工システムに係る第７の態様は、上記第１〜第６のいずれかの態様において、前記植物はオイルパームである。
【発明の効果】
【００１４】
本発明によれば、植物から得られた樹液をメタン発酵処理して発生させたバイオガスから電力を得るので、前記電力を植物栽培設備、破砕設備、搾汁設備、発酵設備あるいは／及び発電する発電設備の需用電力として用いることが可能となる。したがって、本発明によれば、植物を加工することによって所望の成果物を生産する際のエネルギー収支を従来よりも改善することが可能である。
【図面の簡単な説明】
【００１５】
【図１】本発明の一実施形態に係るパーム油生産システムの構成を示す図である。
【発明を実施するための形態】
【００１６】
以下、図面を参照して、本発明の一実施形態について説明する。
本実施形態に係るパーム油生産システムは、植物の一種であるオイルパームの幹（パーム幹Ｘ１）を加工することにより樹液Ｘ３や糖化液Ｘ５を生産すると共に、上記オイルパームの実（パーム果実）を加工することにより植物油の一種であるパーム油を生産するシステム（植物加工システム）である。なお、このパーム油生産システムにおいて、樹液Ｘ３や糖化液Ｘ５はオイルパームの加工による一次的な成果物であり、一方、パーム油は最終的な成果物（製品）である。
【００１７】
このような本実施形態に係るパーム油生産システムは、図１に示すように、パームプランテーション１（植物栽培設備）、破砕設備２、搾汁設備３、糖化設備４、メタン発酵設備５、発電設備６、液体燃料化設備７、パームオイル製造工場８（成果物製造工場）、メタン発酵設備９（第２のメタン発酵設備）、浮き草栽培設備１０及び肥料成分回収設備１１を備えている。
【００１８】
これら各設備のうち、パームプランテーション１は、オイルパーム（和名：アブラヤシ）を栽培する大規模農園である。オイルパームは、パーム油を生産するために主に東南アジアで栽培されているヤシ科の植物であり、実（パーム果実）からパーム油が採取されると共に、パーム果実及び幹（パーム幹Ｘ１）が糖液を含んでいる。パームプランテーション１は、パーム果実をパームオイル製造工場８に出荷する一方、オイルパームの老木を伐採して得られる幹（パーム幹Ｘ１）を破砕設備２に供給する。
【００１９】
破砕設備２は、上記パーム幹Ｘ１を所定サイズのチップ（パームチップＸ２）に破砕する設備である。上記パームチップＸ２のサイズ（チップサイズ）は、後段の搾汁設備３における樹液Ｘ３の搾汁率が最大化するように適宜設定される。この破砕設備２は、このようなパームチップＸ２（植物チップ）を搾汁設備３に供給する。
【００２０】
搾汁設備３は、パームチップＸ２から樹液Ｘ３を搾汁する設備である。上記樹液Ｘ３は、水と糖分（五炭糖や六炭糖の単糖）を主成分とする糖液である。搾汁設備３は、このような樹液Ｘ３を後段のメタン発酵設備５に供給する一方、樹液Ｘ３の搾り滓Ｘ４（搾汁バカス）を糖化設備４に供給する。
【００２１】
糖化設備４は、上記搾り滓Ｘ４を低糖化（単糖化）する設備である。周知のように、パーム幹Ｘ１等の木質系バイオマスは、セルロース、ヘミセルロース及びリグニンを主成分とする。この糖化設備４では、これらパーム幹Ｘ１の主成分のうち、セルロース及びヘミセルロースを糖化酵素の存在下で加水分解する。糖化設備４は、セルロース及びヘミセルロースを加水分解して得られた糖化液Ｘ５をメタン発酵設備５に供給する。
【００２２】
なお、この糖化設備４における「糖化処理」は、セルロースやヘミセルロースを必ずしも単糖に分解する必要はなく、搾り滓Ｘ４（搾汁バカス）が加水分解することによって液化あるいは可溶化する程度のものでもよく、さらにはセルロースやヘミセルロースを単糖や遊離糖よりもさらに分解してもよい。
【００２３】
メタン発酵設備５は、上記樹液Ｘ３及び糖化液Ｘ５をメタン発酵させる設備である。メタン発酵は、周知のように嫌気性の有機物分解処理、つまり嫌気性微生物であるメタン菌の作用によって有機物を分解することにより、メタンガス及び二酸化炭素を主成分とする消化ガスを発生させる反応系である。メタン発酵設備５は、消化ガスであるバイオガスＸ６を発電設備６及び液体燃料化設備７に提供する。なお、このメタン発酵設備５では、バイオガスＸ６（消化ガス）の他に消化液が排液として発生する。
【００２４】
発電設備６は、上記メタン発酵設備５から供給されたバイオガスＸ６、またメタン発酵設備９（第２のメタン発酵設備）から供給されたバイオガスＸ６ａを燃料として発電する設備である。すなわち、この発電設備６は、バイオガスＸ６，Ｘ６ａを燃料としてガスエンジンまたはガスタービンを作動させることによって発電機を駆動し、この発電機から出力される電力Ｘ７をパームプランテーション１、破砕設備２、搾汁設備３及び糖化設備４及び／あるいはパームオイル製造工場８等に供給する。
【００２５】
液体燃料化設備７は、気体燃料である上記バイオガスＸ６，Ｘ６ａを液体燃料Ｘ８に変換する設備である。この液体燃料化設備７は、例えばＦＴ（Fischer-Tropsch）法に基づいてバイオガスＸ６，Ｘ６ａを処理することにより液体燃料Ｘ８を生成するものであり、液体燃料Ｘ８をパームプランテーション１等に供給する。
【００２６】
パームオイル製造工場８は、オイルパームの実（果実）からパーム油を成果物として製造する成果物製造設備である。パームオイル製造工場８では、パーム油の製造過程でパームオイル廃液Ｘ９が発生する。このパームオイル廃液Ｘ９は、パーム果実から搾り取られた粗パームオイル（ＣＰＯ：Crude Palm Oil）を主成分とする排水（ＰＯＭＥ：Palm Oil Mill Effect）であり、糖液を含む。パームオイル製造工場８は、このようなパームオイル廃液Ｘ９をメタン発酵設備９（第２のメタン発酵設備）に供給する。
【００２７】
メタン発酵設備９は、上記パームオイル廃液Ｘ９をメタン発酵処理することによりバイオガスＸ６ａを生成する設備である。このメタン発酵設備９では、パームオイル廃液Ｘ９中の糖分がメタン菌の作用によってバイオガスＸ６ａに変換されるが、パームオイル廃液Ｘ９中の糖分以外の成分は消化液Ｘ１０を構成する成分となる。このようなメタン発酵設備９は、消化ガスであるバイオガスＸ６ａを発電設備６及び液体燃料化設備７に提供する一方、消化液Ｘ１０を浮き草栽培設備１０に供給する。
【００２８】
浮き草栽培設備１０は、上記消化液Ｘ１０を浄化処理すると共に消化液Ｘ１０に基づいて浮き草Ｘ１１を栽培する設備である。浮き草Ｘ１１は、栽培過程において消化液Ｘ１０に含まれる肥料成分、つまり窒素（Ｎ）、リン（Ｐ）及びカリウム（Ｋ）を吸収して生育する。浮き草栽培設備１０は、肥料成分を十分に含んだ浮き草Ｘ１１を肥料成分回収設備１１に供給する。なお、メタン発酵の消化液を培養液として用いることにより浮き草（ミジンコウキクサ、コウキクサあるいはウキクサ）に肥料成分を吸収させる技術は、例えば国際公開番号ＷＯ２０１１／１４５３１６の明細書に詳細が記載されている。
【００２９】
肥料成分回収設備１１は、上記浮き草Ｘ１１から肥料Ｘ１２を製造する設備である。すなわち、この肥料成分回収設備１１は、浮き草Ｘ１１に所定処理を施すことにより肥料Ｘ１２を取得し、肥料Ｘ１２をパームプランテーション１に供給する。
【００３０】
次に、このように構成されたパーム油生産システムの全体的な動作についてさらに詳しく説明する。
【００３１】
パームプランテーション１では、所定面積の生育地（畑）に多数のオイルパームを栽培しており、パーム果実が所定の出荷条件を満たす大きさまで生育すると、パーム果実を収穫してパームオイル製造工場８に出荷する。このようなパームプランテーション１には、オイルパームの生育年が異なる多数の生育地が存在する。そして、各生育地のオイルパームは、約２０年の生育期間が経過して老木になると、パーム果実の収穫率が低下するので伐採される。
【００３２】
本パーム油生産システムでは、このようなパームプランテーション１で収穫されたパーム果実（収穫物）をパームオイル製造工場８に出荷してパーム油を製造する一方、パームプランテーション１においてオイルパームが伐採されて発生したパーム幹Ｘ１をバイオマスとして破砕設備２に供給する。すなわち、破砕設備２では、例えば直径３０〜６０ｃｍ、かつ、高さ１０ｍ程度の丸太状のパーム幹Ｘ１を最大寸法２．０〜３．０ｍｍ程度のパームチップＸ２（植物チップ）に破砕する。
【００３３】
搾汁設備３では、上記パームチップＸ２を所定の圧搾装置を用いることにより、樹液Ｘ３と固形分（搾り滓Ｘ４）とに分離する。なお、パームチップＸ２を圧搾装置で搾汁処理する前に、カッターを用いてパームチップＸ２をさらに細かく切り刻んだり、あるいは／及び上記カッターで切り刻んだものをミルを用いて磨り潰してもよい。上記カッターとしては湿式カッターが好ましく、上記ミルとしては湿式ミルが好ましい。
湿式ミルは、例えば増幸産業（株）製スーパーマスコロイダー（型番：ＭＫＺＢ−１００Ｊ）である。また、湿式ミルは、連続式バイブロミル（ユーラステクノ株式会社）であってもよい。連続式バイブロミルは、粉粒体を滞留させることなく、連続投入及び排出が可能である。
【００３４】
糖化設備４では、例えば酵素糖化法に基づいて搾り滓Ｘ４を加水分解することにより、五炭糖や六炭糖の単糖を生成する。上述したようにパーム幹Ｘ１は、セルロース、ヘミセルロース及びリグニンを主成分とする。酵素糖化法では、このようなパーム幹Ｘ１の成分であるセルロース及びヘミセルロースを糖化酵素の存在下で加水分解する。すなわち、糖化設備４では、搾り滓Ｘ４中のセルロースが糖化酵素の活性を利用して加水分解することによって六炭糖が生成され、一方、同じく搾り滓Ｘ４中のヘミセルロースが加水分解することによって五炭糖が生成される。
【００３５】
このような加水分解によって生成された単糖（五炭糖や六炭糖）は、水に対して可溶性を示すので水中に溶け込む。上記加水分解ではリグニンを主成分とする固形物と上記単糖が水に溶け込んだ糖化液Ｘ５とからなる固液混合水が得られるが、糖化設備４は、この固液混合水から糖化液Ｘ５のみを分離してメタン発酵設備５に供給する。
【００３６】
また、糖化処理は、Clostridium thermocellumを用いた微生物糖化法でもよい。特に、本願発明者らは、Clostridium thermocellumとThermoanaerobacter brockiiの共培養系により、グルカン６２．５％、キシラン３９％の分解が得られることを見出した。そのため、Clostridium thermocellumとThermoanaerobacter brockiiの共培養系により、高い効率で糖化処理を行うことができる。
【００３７】
メタン発酵設備５では、樹液Ｘ３及び糖化液Ｘ５をメタン発酵させることによりバイオガスＸ６を発生させる。すなわち、メタン発酵設備５ではメタン菌の作用によって樹液Ｘ３（糖液）及び糖化液Ｘ５を嫌気環境下で分解することにより、メタンガス及び二酸化炭素を主成分とするバイオガスＸ６（消化ガス）を発生させる。
【００３８】
発電設備６では、メタン発酵設備５から供給されたバイオガスＸ６及びメタン発酵設備９（第２のメタン発酵設備）から供給されたバイオガスＸ６ａを燃料としてガスエンジンまたはガスタービンを運転することにより発電機を駆動する。そして、この発電設備６では、発電機で発生させた電力Ｘ７をパームオイル製造工場８、パームプランテーション１、破砕設備２、搾汁設備３及び糖化設備４等に供給する。
【００３９】
液体燃料化設備７では、合成ガス生成処理、ＦＴ合成処理及びアップグレード処理を行うことにより、気体燃料であるバイオガスＸ６，Ｘ６ａを合成ナフサ等の液体燃料Ｘ８に変換する。すなわち、合成ガス生成処理では、バイオガスＸ６，Ｘ６ａから水素ガス（Ｈ２）と一酸化炭素（ＣＯ）との混合ガス（合成ガス）を生成する。バイオガスＸ６，Ｘ６ａは、メタン（ＣＨ４）と二酸化炭素（ＣＯ２）とを主成分とする混合ガスであり、例えば水蒸気改質法や部分酸化法等を用いることにより容易に合成ガスに変換される。
【００４０】
また、ＦＴ合成処理では、上記合成ガスを様々な炭素数の炭化水素の混合油（ＦＴ合成油）に変換する。このＦＴ合成油は、例えばメタン、エタン、ナフサ、灯油及び軽油等からなる混合油である。ＦＴ合成処理では、例えば鉄やコバルト等の金属触媒の存在下で上記合成ガス（水素ガスと一酸化炭素との混合ガス）を加熱することにより、ＦＴ合成油を生成する。
【００４１】
さらに、アップグレード処理では、上記ＦＴ合成油を蒸留処理することにより各留分に分離する。このアップグレード処理では、例えばＦＴ合成油を蒸留塔に投入して加熱することにより各留分に分離し、さらに水等を用いて各留分を冷却することにより液化させて合成ナフサ、合成灯油及び合成軽油等の液体燃料Ｘ８（最終製品）を得る。
【００４２】
なお、ＦＴ合成処理及びアップグレード処理では、蒸留処理により排水が発生するが、この排水は、アルコールや有機酸を成分として含む。したがって、この排水は、メタン発酵設備５で再処理（再利用）することが可能であり、よって別途排水処理をする必要がない。
【００４３】
パームオイル製造工場８では、パームプランテーション１から供給されたパーム果実に所定の処理を施すことによりパーム油を製造する。すなわち、パームオイル製造工場８では、パーム果実を搾り機にかけて得られた油（搾り油）に加熱水（湯）を加えて浄化することにより、粗パームオイル（ＣＰＯ：Crude Palm Oil）を得る。この粗パームオイルを得る際に、搾り油中の糖分等の可溶性成分や懸濁物（固形分）が加熱水に取り込まれたものがパームオイル廃液Ｘ９であり、一般にＰＯＭＥ（Palm Oil Mill Effect）と言われる。このパームオイル廃液Ｘ９は、上記搾り油中の可溶性成分としての糖分を多量に含む糖液である。
【００４４】
メタン発酵設備９では、このようなパームオイル廃液Ｘ９をメタン発酵処理することによりバイオガスＸ６ａ（消化ガス）を発生させる。そして、メタン発酵設備９は、バイオガスＸ６ａを発電設備６及び液体燃料化設備７に供給する。また、メタン発酵設備９では、上記バイオガスＸ６ａ（消化ガス）と同時に消化液Ｘ１０が発生する。
【００４５】
ここで、パームオイル廃液Ｘ９中のメタン発酵に必要な成分が不足した場合、メタン発酵が効率よく行われないため、不足成分（例えば、ニッケル、コバルト、モリブデン等）を適宜加えることができる。
【００４６】
浮き草栽培設備１０では、上記消化液Ｘ１０を所定の処理槽で活性汚泥処理して浄化すると共に上記処理槽で特定の浮き草Ｘ１１を栽培する。浮き草Ｘ１１は、例えばミジンコウキクサ、コウキクサあるいは／及びウキクサであり、十分に生育した段階において消化液Ｘ１０に含まれる肥料成分（窒素（Ｎ）、リン（Ｐ）及びカリウム（Ｋ））を十分に吸収する。そして、肥料成分回収設備１１では、浮き草Ｘ１１を例えば乾燥処理することにより肥料Ｘ１２を取得し、肥料Ｘ１２をパームプランテーション１に提供する。
【００４７】
このような本実施形態によれば、パーム幹Ｘ１から得られた樹液Ｘ３及び糖化液Ｘ５をメタン発酵処理して発生させたバイオガスＸ６から電力Ｘ７を得るので、電力Ｘ７をパームプランテーション１、破砕設備２、搾汁設備３、糖化設備あるいは／及びオイルパーム製造工場８等の需用電力として用いることが可能となる。したがって、本実施形態によれば、パーム果実を加工することによってパーム油（最終成果物）の生産におけるエネルギー収支を従来よりも改善することが可能である。
【００４８】
また、本実施形態によれば、パーム幹Ｘ１から得られた樹液Ｘ３及び糖化液Ｘ５をメタン発酵処理して発生させたバイオガスＸ６から液体燃料Ｘ８を得るので、液体燃料Ｘ８をパームプランテーション１等の必要燃料として用いることが可能となる。したがって、本実施形態によれば、パーム果実を加工することによってパーム油（最終成果物）の生産におけるエネルギー収支を従来よりも改善することが可能である。
【００４９】
さらには、本実施形態によれば、パームプランテーション１がオイルパームの栽培に必要とする肥料Ｘ１２をメタン発酵の消化液Ｘ１０から得るので、これによってもパーム果実を加工することによってパーム油（最終成果物）の生産におけるエネルギー収支を従来よりも改善することが可能である。
【００５０】
また、本実施形態によれば、従来、廃棄処理されていたパームオイル廃液をメタン発酵の原料とすることで、オイルパーム製造工場が環境に与える影響を最小限にすることができる。
【００５１】
また、本実施形態によれば、従来廃棄処理されていた消化液中の成分を、浮き草を介して回収し肥料として再利用することにより、オイルパーム製造工場が環境に与える影響を最小限にすることができ、且つ、従来よりも資源を有効活用することができる。
【００５２】
なお、本発明は上記実施形態に限定されるものではなく、例えば以下のような変形例が考えられる。
（１）上記実施形態はパーム油が得られるオイルパームに関するものであるが、本発明はこれに限定されない。メタン発酵の原料となる糖液あるいは／及び糖化液が得られるバイオマスには、オイルパーム以外の様々な木質系バイオマスあるいはセルロース系バイオマスがある。したがって、本発明は、種々の木質系バイオマスあるいはセルロース系バイオマスに適用可能である。
例えば、糖分を含む樹液を有するセルロース系バイオマスには、パーム幹Ｘ１の他にパームの葉、バナナ、サトウキビ、トウモロコシ、キャッサバ、サゴ椰子、ヤムイモ、ソルガム、馬鈴薯、セルロースと樹液（またはジュース）、セルロース・でん粉・樹液（またはジュース）からなる作物等、種々の植物があり、各種のセルロース系バイオマスに適用可能である。
【００５３】
（２）上記実施形態では、パーム幹Ｘ１に加えてパームオイル廃液Ｘ９をもバイオマスとして利用したが、本発明はこれに限定されない。パーム幹Ｘ１あるいはパームオイル廃液Ｘ９の何れか一方をバイオマスとして利用してもよい。
【００５４】
（３）上記実施形態では、発電設備６及び液体燃料化設備７を設けることによりバイオガスＸ６，Ｘ６ａから電力Ｘ７と液体燃料Ｘ８とを得たが、本発明はこれに限定されない。
発電設備６あるいは液体燃料化設備７の何れか一方を設けてもよい。
【００５５】
（４）上記実施形態では、糖化設備４を設けることにより搾り滓Ｘ４から糖化液Ｘ５を取得したが、本発明はこれに限定されない。糖化設備４を削除することにより、樹液Ｘ３のみを原料としてバイオガスＸ６を取得してもよい。
【００５６】
（５）上記実施形態では、浮き草栽培設備１０及び肥料成分回収設備１１を設けることによりメタン発酵の消化液Ｘ１０から肥料成分を回収したが、本発明はこれに限定されない。浮き草栽培設備１０及び肥料成分回収設備１１を必要に応じて削除してもよい。
【００５７】
（６）上記実施形態では、メタン発酵設備５とメタン発酵設備９（第２のメタン発酵設備）とを個別に設けたが、本発明はこれに限定されない。メタン発酵設備５とメタン発酵設備９とを統合した１つの設備としてもよい。
【産業上の利用可能性】
【００５８】
本発明によれば、植物の生産におけるエネルギー収支を従来よりも改善することができる。
【符号の説明】
【００５９】
１  パームプランテーション（植物栽培設備）
２  破砕設備
３  搾汁設備
４  糖化設備
５  メタン発酵設備
６  発電設備
７  液体燃料化設備
８  パームオイル製造工場（成果物製造設備）
９  メタン発酵設備（第２のメタン発酵設備）
１０  浮き草栽培設備
１１  肥料成分回収設備
Ｘ１  パーム幹
Ｘ２  パームチップ（植物チップ）
Ｘ３  樹液
Ｘ４  搾り滓
Ｘ５  糖化液
Ｘ６，Ｘ６ａ  バイオガス
Ｘ７  電力
Ｘ８  液体燃料
Ｘ９  パームオイル廃液
Ｘ１０  消化液
Ｘ１１  浮き草
Ｘ１２  肥料
【図１】
2015174520.tif 000003
【国際調査報告】
2015174520.tif 000004
2015174520.tif 000005